(57)【要約】【課題】  傾斜する棟のどの方向に取り付けても上下の部材が抜けて分離してしまわない棟瓦梁支持金具。【解決手段】  棟瓦梁支持金具は、下部材１と上部材２とかならなる。下部材１は屋根の棟部分の両側に跨って野地板に固定される脚部２０と、この脚部２０から立設された平面コ字形の柱状の下部材支柱部１０とを有し、この下部材支柱部１０の側面に上下に一定の間隔で複数のスリット１３が設けられている。また上部材２は棟瓦梁を支持する梁支持部４０と、この梁支持部４０から垂下され、前記下部材１の下部材支柱部１０にそのコ字形に開いた側から嵌め込み可能な柱状の上部材支柱部３０とを有し、この上部材支柱部３０には、前記下部材支柱部１０の複数のスリット１３と同じ間隔で同スリット１３に差し込み可能な複数の突起３４が設けられている。これらスリット１３と突起３４にそれらの差し込み時に突起３４の長手方向への移動を阻止するストッパを備える。【選択図】      図１
2006219928.tif 000002
【特許請求の範囲】
【請求項１】
屋根の棟に沿って積み上げる棟瓦を支持するため、屋根の棟に沿って棟瓦梁を支持する棟瓦梁支持金具であって、屋根の棟の位置に固定される下部材（１）とこの下部材（１）の上に固定され、棟瓦梁を支持する上部材（２）とかならなり、下部材（１）は屋根の棟部分の両側に跨って野地板に固定される脚部（２０）と、この脚部（２０）から立設された柱状の下部材支柱部（１０）とを有し、この下部材支柱部（１０）の側面に上下に一定の間隔で複数のスリット（１３）が設けられ、上部材（２）は棟瓦梁を支持する梁支持部（４０）と、この梁支持部（４０）から垂下され、前記下部材（１）の下部材支柱部（１０）に嵌め込み可能な柱状の上部材支柱部（３０）とを有し、この上部材支柱部（３０）には、前記下部材支柱部（１０）の複数のスリット（１３）と同じ間隔で同スリット（１３）、（１３）に差し込み可能な複数の突起（３４）が設けられ、これらスリット（１３）と突起（３４）とにそれらの嵌合時に突起（３４）の長手方向への移動を阻止するストッパを備えることを特徴とする棟瓦梁支持金具。
【請求項２】
前記下部材（１）の下部材支柱部（１０）のスリット（１３）が挿入口（１４）より奥側で深い凹部（１５）となっており、この凹部（１５）に上部材（２）の上部材支柱部（３０）の側面に設けた突起（３４）が嵌まり込むことにより、ストッパとして機能することを特徴とする請求項１に記載の棟瓦梁支持金具。
【請求項３】
前記下部材（１）の下部材支柱部（１０）のスリット（１３）の上向きの縁に突起（１８）を設け、上部材（２）の上部材支柱部（３０）の側面に設けた突起（３４）に前記突起（１８）を嵌め込む孔（３７）を設け、こられ突起（１８）と孔（３７）とが嵌まり合うことにより、ストッパとして機能することを特徴とする請求項１に記載の棟瓦梁支持金具。
【請求項４】
前記下部材（１）の下部材支柱部（１０）のスリット（１３）の上向きの縁と上部材（２）の上部材支柱部（３０）の側面に設けた突起（３４）の下縁とに互いに嵌まり込む突起（２３）と凹部（３９）とを設け、これら突起（２３）と凹部（３９）とが嵌まり合うことにより、ストッパとして機能することを特徴とする請求項１に記載の棟瓦梁支持金具。
【発明の詳細な説明】
【技術分野】
【０００１】
本発明は、屋根の棟に沿って棟瓦を設けるに当たり、棟瓦の内部で同棟瓦を支持する棟瓦梁を支持、固定するため、屋根の棟に沿って設置される棟瓦梁支持金具に関し、特に寄せ棟屋根や入母屋々根のように、傾斜棟を有する場合に、その傾斜棟に設置しても安定して棟瓦梁を支持することが出来るようにした棟瓦梁支持金具に関する。
【背景技術】
【０００２】
棟瓦は屋根の棟に沿って構築される瓦であり、のし瓦やかんむり瓦を積み上げて構築される。最近、地震被害の一つとして屋根瓦の倒壊が問題視されており、そのなかでもとりわけ棟瓦の倒壊が問題となっている。従来の家屋では、棟瓦は粘土や漆喰により固めて固定していたが、この構造では棟瓦の大規模地震による倒壊を防ぐことは困難である。
【０００３】
そこで、金具を用いて棟に沿って棟瓦梁を架設し、この棟瓦梁で棟瓦全体を固定する構造が採用されている。このような棟瓦梁を架設するための棟瓦梁支持金具は、鋼板製で、ハの字形をなす脚部と、この脚部から立設した柱部と、この柱部の上部に設けられ、上側が開いた側面コ字形をなす梁支持部とを有するものである。
【０００４】
このような棟瓦梁支持金具を使用し、家屋の屋根の棟に沿って野地板の上に固定し、棟の尾根線と平行に棟瓦梁を架設する。棟の両側に桟瓦を葺き、棟に沿ってのし瓦を１段以上積み、これを金属線等で棟瓦梁に固定する。さらに、のし瓦の上に棟瓦梁を覆うように丸瓦の一種であるかんむり瓦を並べて乗せ、これを棟瓦梁に固定し、棟瓦が完成する。なおかんむり瓦の下側ののし瓦との隙間を埋めるように、予め粘土や漆喰等のふき土を充填することもある。
このようにして棟瓦を施工する場合、棟の野地板の尾根部分から丸瓦までの高さは、積み上げるのし瓦の枚数等により各家屋毎に異なる。また、野地板の棟の部分が一定の高さにならず、多少の高さの違いが生じることがある。
【０００５】
このような高を調整し、棟瓦梁を一定の高さに架設するための手段として、例えば特開２０００−１４５０３８号公報や特開２００４−２２５３２３号公報に記載されたように、棟瓦梁支持金具を上下別の部材に分離したものが使用されている。このような棟瓦梁支持金具では、下側の部材の脚部から立設した柱状の部分の側壁に一定の高さ間隔で幅方向に延びる複数のスリットを設け、上側の部材の梁支持部から垂下した柱状の部分に前記スリットと同じ高さ間隔で幅方向に延びる複数の隆起部を設け、上下の部材の柱状の部分を互いに嵌め込むとき、前記の隆起部をスリットに差し込んで固定する。スリットと隆起部は一定の高さ間隔で複数設けられているため、嵌め込むスリットと隆起部とを選択することにより、スリットと隆起部の高さ間隔で棟瓦梁支持金具の高さ、つまり脚部から梁支持部までの高さを可変、調整することが出来る。
【０００６】
このような高さ調整機能を有する棟瓦梁支持金具では、下側と上側の部材の柱状の部分の側面にそれぞれ設けた幅方向に延びるスリットと隆起部とを一方から嵌め込むだけの構造のため、一旦差し込んだスリットと隆起部が抜けやすい。このため、寄せ棟や入母屋の屋根における傾斜棟にこれらの棟瓦梁支持金具を取り付ける場合は、棟瓦梁支持金具の方向を選び、スリットから隆起部が抜けない方向に棟瓦梁支持金具を取り付ける必要がある。
【０００７】
しかしながら、通常の家屋の建築工事において、屋根葺き工事は元請けからの下請けとして発注される。このようの条件の中で、屋根葺き工事にかけることが出来る時間は限られており、必然的に能率重視のもとで屋根葺き工事が行われる。そのため、棟瓦梁支持金具の取付方向を一々選んでいる余裕はなく、スリットと隆起部が抜けやすい方向に棟瓦梁支持金具を取り付けてしまうことが多々ある。
【０００８】
【特許文献１】特開２０００−１４５０３８号公報
【特許文献２】特開２００４−２２５３２３号公報
【特許文献３】特開２００１−３５５３１８号公報
【特許文献４】特開２００１−２７９８７２号公報
【特許文献５】特開平１１−１７２８５７号公報
【特許文献６】特開平１１−３６５２３号公報
【発明の開示】
【発明が解決しようとする課題】
【０００９】
本発明は、前記のような上下２つの部材に分かれた従来の棟瓦梁支持金具における課題に鑑み、上下２つの部材の組立を複雑にすることなく、傾斜する棟のどの方向に取り付けても上下の部材が抜けて分離してしまわないような棟瓦梁支持金具を提供することを目的とする。
【課題を解決するための手段】
【００１０】
本発明では、前記の目的を達成するため、下部材１の脚部２０から立設された平面コ字形の柱状の下部材支柱部１０に設けた複数のスリット１３、１３と、上部材２の梁支持部４０から垂下され、前記下部材１の下部材支柱部１０側にコ字形に開いた側から嵌め込み可能な柱状の上部材支柱部３０に設けた複数の突起３４とを単に嵌め合わせるだけでなく、これらスリット１３と突起３４に長手方向への移動を阻止するストッパを備えるようにした。
【００１１】
すなわち、本発明による棟瓦梁支持金具は、屋根の棟に沿って積み上げる棟瓦を支持するため、屋根の棟に沿って棟瓦梁を支持するものであり、屋根の棟の位置に固定される下部材１とこの下部材１の上に固定され、棟瓦梁を支持する上部材２とかならなる。下部材１は屋根の棟部分の両側に跨って野地板に固定される脚部２０と、この脚部２０から立設された柱状の下部材支柱部１０とを有し、この下部材支柱部１０の側面に上下に一定の間隔で複数のスリット１３が設けられている。また上部材２は棟瓦梁を支持する梁支持部４０と、この梁支持部４０から垂下され、前記下部材１の下部材支柱部１０に嵌め込み可能な柱状の上部材支柱部３０とを有し、この上部材支柱部３０には、前記下部材支柱部１０の複数のスリット１３と同じ間隔で同スリット１３に差し込み可能な複数の突起３４が設けられている。そして、これらスリット１３と突起３４にそれらの差し込み時に突起３４の長手方向への移動を阻止するストッパを備える。
【００１２】
ストッパの一つの形態としては、前記下部材１の下部材支柱部１０のスリット１３が下部材支柱部１０の挿入口１４より奥側で深い凹部１５とし、この凹部１５に上部材２の上部材支柱部３０の側面に設けた突起３４が嵌まり込むことにより、ストッパとして機能するものを挙げることが出来る。
【００１３】
またストッパの他の形態としては、前記下部材１の下部材支柱部１０のスリット１３の上向きの縁に突起１８を設け、上部材２の上部材支柱部３０の側面に設けた突起３４に前記突起１８を嵌め込む孔３７を設け、こられ突起１８と孔３７とが嵌まり合うことにより、ストッパとして機能するするものを挙げることが出来る。
【００１４】
さらにストッパの他の形態としては、前記下部材１の下部材支柱部１０のスリット１３の上向きの縁と上部材２の上部材支柱部３０の側面に設けた突起３４の下向縁とに互いに上下に嵌まり込む突起２３と凹部３９を設け、この突起２３と凹部３９とが嵌まり込むことにより、ストッパとして機能するものを挙げることが出来る。
何れのものでも、スリット１３に突起３４を差し込んだ後、下部材１に対して上部材２を押し下げ、突起３４を凹部１５に嵌め込むかまたは突起１８、２３を孔３７や凹部３９を嵌め込むことによりストッパを利かせる。
【発明の効果】
【００１５】
本発明による棟瓦梁支持金具では、下部材１の下部材支柱部１０のスリット１３と上部材２の上部材支柱部３０の突起３４に、それらの嵌合時に突起３４の長手方向への移動を阻止するストッパを備えるため、傾斜する棟に棟瓦梁支持金具をどの方向に取り付けても、スリット１３から突起３４が抜けない。換言すると、傾斜する棟に棟瓦梁支持金具をどの方向へも取り付けることが可能である。このため、一々方向を選択する必要がなく、手早く棟瓦梁支持金具を屋根の棟部分に取り付けることが出来る。
【発明を実施するための最良の形態】
【００１６】
本発明では、下部材１の脚部２０から立設された平面コ字形の柱状の下部材支柱部１０に設けた複数のスリット１３と、上部材２の梁支持部４０から垂下され、前記下部材１の下部材支柱部１０側にコ字形に開いた側から嵌め込み可能な柱状の上部材支柱部３０に設けた複数の突起３４とにストッパ機能を設け、その目的を達成するものである。
以下、本発明を実施するための最良の形態について、実施例をあげて詳細に説明する。
【実施例１】
【００１７】
図１は本発明の一実施例による棟瓦梁支持金具の構成部材を分離して示したものである。この図１に示すように、棟瓦梁支持金具は下部材１と上部材２とからなり、例えば何れも鋼板等の金属板をプレスで打ち抜き、折り曲げて作られる。
下部材１は、正面「ハ」の字形状となった両側広がりの一対のプレート状の脚部２０、２０を有し、この脚部２０、２０には複数の釘穴２１が設けられている。この脚部２０、２０の傾斜角は、通常３０゜程度であるが、これは屋根勾配に合わせて設定される。手で折り曲げ角度を強制的に変えて使用することもある。
【００１８】
この脚部２０、２０の最も高い部分から平面「コ」の字形の下部材支柱部１０が起立している。この下部材支柱部１０の両側の側壁１１は前記脚部２０と一体であり、その折り曲げ部分に剛性を高めるための補強用のリブ２２、２２が設けられている。
この下部材支柱部１０の両側の側壁１１には、上下に一定の間隔で複数のスリット１３が設けられている。このスリット１３の数は図示の例では５つであるが、使用目的により任意の数とすることが出来る。このスリット１３は、下部材支柱部１０の側壁１１、１１が前壁１２で連なっている前面側の反対側、つまり平面「コ」字形の「コ」の字が開いた背面側に挿入口１４を有し、奥側で下方に深くなり、凹部１５が形成されている。
【００１９】
この下部材支柱部１０の両側の側壁１１には、スリット１３の前方に穴１７が設けられている。これらの穴１７の間隔は、スリット１３と同じ間隔である。
さらに図示の例では、下部材支柱部１０の前壁１２にも、横に幅広の窓状の矩形の開口部１６が設けられている。この開口部１６の上下の間隔は、前記スリット１３と同じであり、開口部１６の上下の高さは、前記スリット１３の凹部１５を有する部分と同じである。
【００２０】
他方、上部材２は、最上端に上が平いた正面横コ字形の梁支持部４０を有し、この梁支持部４０の中央から下方に柱状の上部材支柱部３０が一体に連なり、垂下している。この上部材支柱部３０の平面形状は、背面が開いた角Ｃ字形をしている。梁支持部４０の曲がり角と梁支持部４０と上部材支柱部３０との曲がり角には、補強用のリブ４１、４１、４２、４２が形成されている。また、棟支持部４０の両側壁には、棟瓦梁を固定するための釘穴４３が穿孔されている。
【００２１】
前記上部材支柱部３０の正面外側幅寸法と側面外側幅寸法は、前記下部材１の下部材支柱部１０の正面内側幅寸法と側面内側幅寸法よりやや小さく、従ってこの上部材支柱部３０は、前記下部材１の下部材支柱部１０の開いた後方からその中に差し込むことが出来るようになっている。また、この上部材支柱部３０の高さは、前記下部材１の下部材支柱部１０よりやや高い。
【００２２】
この上部材２の上部材支柱部２の側壁３１には、その側壁３１を一部切り出して形成した突起３４が上下に一定の間隔で突設してあり、その上下の間隔は前記下部材１の下部材支柱部１０に設けたスリット１３と同じ間隔である。図示の実施例ではこの突起３４、３４は、５つ設けられている。この突起３４は正面から見て先端縁がカギ状に下に曲がっており、このカギ状の先端部と上部材支柱部２の側面との間の間隔は下部材１を形成する金属板の厚みよりやや広い。これらの突起３４は、上部材支柱部３０を前記下部材１の下部材支柱部１０の後方からその中に差し込む際に、スリット１３の挿入口１４から差し込むことが出来る。上部材支柱部３０を前記下部材１の下部材支柱部１０の後方からその中の最も奥に差し込んだ状態では、突起３４は、スリット１３の奥の凹部１５の位置に達する。突起３４の幅は、スリット１３の奥の凹部１５よりやや狭い。
上部材２の上部材支柱部２の側壁３１には、これら突起３４の前方に穴３６が設けられている。これらの穴３６の間隔は、突起３４と同じ間隔である。
【００２３】
さらに、図示の実施例では、上部材２の上部材支柱部２の前壁３２にも、その前壁１２を一部切り出して形成した突起３５が上下に一定の間隔で突設してあり、その上下の間隔は前記下部材１の下部材支柱部１０に設けた開口部１６と同じである。これらの突起３５の幅は、開口部１６よりやや狭い。図示の実施例ではこの突起３５、３５は、５つ設けられており、それらの上下を位置は、上部材２の上部材支柱部２の側壁３２に設けた突起３４と一つずつ対応している。この突起３５は側面から見て先端縁がカギ状に下に曲がっており、このカギ状の先端部と上部材支柱部２の正面との間の間隔は下部材１を形成する金属板の厚みよりやや広い。こられの突起３５は、上部材支柱部３０を前記下部材１の下部材支柱部１０の後方からその最も奥に差し込んだ位置で前記下部材１の下部材支柱部１０に設けた開口部１６、１６の内側から外側に向けて差し込むことが出来る。
【００２４】
このような下部材１と上部材２は、次のようにして組み立てられる。まず、図１に示すような位置関係とし、次に矢印で示すように、下部材１の下部材支柱部１０の後方からその中に前記の上部材２の上部材支柱部３０を差し込む。この時、上部材２の上部材支柱部３０の側壁３１に設けた一部の突起３４を下部材１の下部材支柱部１０の側壁１１に設けたスリット１３の挿入口１４から差し込む。そして、図２に示すように、上部材２の上部材支柱部３０を下部材１の下部材支柱部１０の最も奥に差し込むと、一部の突起３４はスリット１３の凹部１５の位置に達し、一部の突起３５は開口部１６に差し込まれる。
【００２５】
次にこの図２の状態から、同図に矢印で示すように、上部材２を下部材１に対して上から下へと押し込むと、図３と図４に示すように、前記一部の突起３４はスリット１３の凹部１５に嵌り込み、前記一部の突起３５は開口部１６を挟み込むようにその下縁に係合する。この状態では、突起３４がスリット１３の凹部１５に嵌り込むことでストッパとして機能し、上部材２の上部材支柱部２が下部材１の下部材支柱部１０から抜け出ない。図３はストッパがかかった状態の棟瓦梁支持金具の全体の図であり、図４はその一つの突起３４がスリット１３の凹部１５に嵌り込んだ状態である。
【００２６】
なおこの機能は、突起３４が正面から見てカギ形ではなく、横に突出しただけのものでも同様に発揮される。また、このストッパ機能は、下部材１と上部材２の側面側の凹部１５と突起３４との係合のみで実現することも出来る。すなわち、上部材２の上部材支柱部３０の前壁３２側の突起３５及び下部材１の下部材支柱部１０の前壁１２側の開口部１６は必ずしも必要は無い。
【００２７】
このようにして上部材２の上部材支柱部２を下部材１の下部材支柱部１０に差し込む際には、脚部２０から梁支持部４０までの必要な高さを決定し、下方から幾つの突起３４をスリット１３に差し込むか決定する。すなわち、下方から幾つの突起３４をスリット１３に差し込むかで脚部２０から梁支持部４０までの高さが選択出来る。
【００２８】
図５は、組み立てた瓦梁支持金具を屋根の棟に立て、上部材２の梁支持部４０に棟瓦梁を載せて架設し、棟瓦を葺いた状態を示す屋根の棟部の正面図である。棟瓦の中の充填物は除いて示してある。
まず前記のようにして高さを調節して上部材１と下部材２とを組み立てた瓦梁支持金具が一定の間隔で屋根の棟に沿って立設される。下部材２の脚部２０が釘等で棟の両側の野地板５２に固定される。瓦梁支持金具は野地板５２を下から支持しているたる木５１の部分に固定するとしっかりと固定出来る。
【００２９】
次に、屋根の野地板５２の上に桟瓦５３を葺く。桟瓦５３は、屋根の軒先側から屋根の勾配に沿って棟側へ、つまり下から上側へと順次重ね葺きされる。
次に、桟瓦５３及び棟瓦支持部材のフレーム本体１の上に棟瓦を積み上げる。例えば、面戸瓦、のし瓦５４、５５及びかんむり瓦５７を棟の長手方向に継ぎ合わせながら積み上げて、棟瓦を構築する。
【００３０】
例えば、前記棟瓦支持部材の両側に一対の面戸瓦を取り付けるが、図示の例では面戸瓦は使用されていないため、棟瓦支持部材とその両側の桟瓦５３とにわたって、中央部で分割されていない一体ののし瓦５４を乗せる。まず、棟に沿って複数ののし瓦５４の端部を付き合わせて継ぎ合わせながら、屋根の棟に沿ってのし瓦５４を葺いていく。次に、前記のし瓦５４の上に、中央部を帯状に除去して２つ割りにした左右一対ののし瓦５５、５５を乗せる。このようにして中央部を帯状に除去して２つ割にした左右一対ののし瓦５５、５５を乗せるのは、下ののし瓦５４より上ののし瓦５５、５５の設置幅を狭くするためである。なお、こののし瓦５５、５５の長さは、その下ののし瓦５４と同じである。こののし瓦５５、５５もまた、棟に沿って端部を付き合わせて継ぎ合わせながら、順次複数組ののし瓦５４の上に積み上げて行く。のし瓦５５、５５は、の中間部の対向する部分に穴を設けておき、この穴を利用して一対ずつののし瓦５５、５５を結束し、互いに固定する。
【００３１】
またこれらのし瓦５４、５５を葺くのと前後して、上部材２の上端の梁支持部４０に角材等からなる棟瓦梁５６を嵌め込み、梁支持部５６の側面の釘穴４３から釘を打ち込んで固定する。これにより、棟瓦梁５６をのし瓦５５、５５の間の上に水平になるよう保持し、架設する。
【００３２】
最後にのし瓦５５の上にかんむり瓦５７を乗せ、図５に示すように、その円筒部の中央部が棟瓦梁５６の上にほぼ乗る状態とする。かんむり瓦５７は、端部の太くなった紐部を隣接する他のかんむり瓦５７の円筒部の端部に重ねて継ぎ合わせながら、棟瓦梁５６に被せるようにし、棟瓦梁５６からその両側ののし瓦５５、５５の一部を覆うように葺いていく。そして、かんむり瓦５７を木ねじ等で前記棟瓦梁５６に固定する。これにより、棟瓦葺きの施工が完了する。
【実施例２】
【００３３】
次に、図６と図７により本発明の第二の実施例について説明する。この第二実施例による瓦梁支持金具は、前述した第一の実施例による瓦梁支持金具と基本的に同じであり、同じ部分は同じ符号で示している。屋根に棟瓦を葺くときの使用形態も全く同じである。以下に異なる部分のみ説明し、共通部分の説明は省略する。
【００３４】
この第二の実施例では、図６に示すように、下部材１の下部材支柱部１０の側壁１１に設けたスリット１３の凹部１５の中央に、突起１８が突設されている。また、下部材１の下部材支柱部１０の前壁１２に設けた開口部１６の中央にも、突起１９が突設されている。
他方、上部材２の部材支柱部３０の側壁３１に設けた突起３４は、その先端側がカギ状に曲がっておらず、真っ直ぐであり、その基部中央に前記突起１８よりやや大きい矩形の穴３７が設けられている。上部材２の部材支柱部３０の前壁３２に設けた突起３５もまた、その先端側がカギ状に曲がっておらず、真っ直ぐであり、その基部中央に前記突起１９よりやや大きい矩形の穴３８が設けられている。
【００３５】
図７は、上部材２の上部材支柱部３０を下部材１の下部材支柱部１０の最も奥に差し込むことで、一部の突起３４をスリット１３の奥に差し込み、一部の突起３５を開口部１６に差し込み、さらに上部材２を下部材１に対して上から下へと押し込んだ状態である。この状態では、下部材１の下部材支柱部１０の側壁１１側の突起１８が上部材２の上部材支柱部３０の側壁３１側の突起３４の穴３７に嵌合し、下部材１の下部材支柱部１０の前壁１２側の突起１９が上部材２の上部材支柱部３０の前壁３２側の突起３４の穴３７に嵌合する。この状態でストッパ機能が働き、上部材２の上部材支柱部２が下部材１の下部材支柱部１０から抜け出ない。
【実施例３】
【００３６】
次に、図８と図９により本発明の第三の実施例について説明する。この第三の実施例による瓦梁支持金具もまた、前述した第一の実施例による瓦梁支持金具と基本的に同じであり、同じ部分は同じ符号で示している。屋根に棟瓦を葺くときの使用形態も全く同じである。以下に異なる部分のみ説明し、共通部分の説明は省略する。
【００３７】
この第三の実施例では、図８に示すように、下部材１の下部材支柱部１０の側壁１１に設けたスリット１３のやや奥側の下辺部に、突起２３が突設されている。このスリット１３は、前述した第一の実施例のような挿入口１４や凹部１５の別は無く、高さが一定である。
【００３８】
他方、上部材２の部材支柱部３０の側壁３１に設けた突起３４は絞り加工により押し出されて形成されたもので、側壁３１の幅方向に長い。この突起３４の中央下縁に前記突起２３の形状に適合する凹部３９が設けられている。突起３４の高さは、前記下部材１の下部材支柱部１０の側壁１１に設けたスリット１３の突起２３の部分の上限間隔よりやや狭い。
【００３９】
図９は、上部材２の上部材支柱部３０を下部材１の下部材支柱部１０の最も奥に差し込むことで、一部の突起３４をスリット１３の奥に差し込み、一部の突起３５を開口部１６に差し込み、さらに上部材２を下部材１に対して上から下へと押し込んだ状態である。この状態では、下部材１の下部材支柱部１０の側壁１１側の突起２３が上部材２の上部材支柱部３０の側壁３１側の突起３４の凹部３９に嵌合する。この状態でストッパ機能が働き、上部材２の上部材支柱部２が下部材１の下部材支柱部１０から抜け出ない。
【実施例４】
【００４０】
次に、図１０と図１１により本発明の第四の実施例について説明する。この第四の実施例による瓦梁支持金具もまた、前述した第一の実施例による瓦梁支持金具と基本的に同じであり、同じ部分は同じ符号で示している。屋根に棟瓦を葺くときの使用形態も全く同じである。以下に異なる部分のみ説明し、共通部分の説明は省略する。
【００４１】
この第四の実施例では、図１０に示すように、上部材２の上部材支柱部３０の側壁３１に設けた突起３４はプレスにより側壁３１から切り出されて形成されたもので、側壁３１の幅方向に長い。この突起３４の先端部は基部より幅が広くなっており、先端部両側が基部より外側に突出している。
【００４２】
また、この上部材２の上部材支柱部３０の前壁３２に設けた突起３５も、前記の側壁３１の突起３４より幅が狭いものの、形状はその側壁３１の突起３４と同様の形状をしている。このれらの突起３５を差し込むための下部材１の下部材支柱部１０の前壁１２の開口部１６は、上下二段になっており、上側が前記突起３５の先端部より幅が広く、下側が同突起３５の先端部より幅が狭く、且つ同突起３５の基部よりやや幅が広くなっている。
【００４３】
図１１は、上部材２の上部材支柱部３０を下部材１の下部材支柱部１０の最も奥に差し込むことで、一部の突起３４をスリット１３の奥に差し込み、一部の突起３５を開口部１６に差し込み、さらに上部材２を下部材１に対して上から下へと押し込んだ状態である。この状態では、上部材２の上部材支柱部３０の側壁３１側の一部の突起３４が下部材１の下部材支柱部１０の側壁１１側のスリット１３の凹部１５に嵌合する。また、上部材２の上部材支柱部３０の前壁３２側の一部の突起３５が下部材１の下部材支柱部１０の前壁１２側の開口部１６の幅狭い下側の部分に嵌合する。この状態でストッパ機能が働き、上部材２の上部材支柱部２が下部材１の下部材支柱部１０から抜け出ない。
【実施例５】
【００４４】
次に、図１２と図１３により本発明の第五の実施例について説明する。この第五の実施例による瓦梁支持金具もまた、前述した第一の実施例による瓦梁支持金具と基本的に同じであり、同じ部分は同じ符号で示している。屋根に棟瓦を葺くときの使用形態も全く同じである。以下に異なる部分のみ説明し、共通部分の説明は省略する。
【００４５】
前記の第四の実施例では上部材２の部材支柱部３０の側壁３１に設けた突起３４が同側壁３１の幅方向に長くなるように切り出して形成されているが、この第五の実施例では、図１２に示すように、上部材２の上部材支柱部３０の側壁３１に設けられた突起３４は、その先端縁が側壁３１の高さ方向に向くように同側壁３１から切り出されて形成されている。この突起３４の先端部は下方に突き出るように鍵形を呈している。
【００４６】
他方下部材１の側壁１１に設けたスリット１３の奥側の凹部１５は、前記突起３４の厚さよりやや広い程度となっている。
上部材２の部材支柱部３０の前壁３２に設けた突起３５と、この突起３５を差し込むための下部材１の下部材支柱部１０の前壁１２の開口部１６は、前記の第四の実施例と同じである。
【００４７】
図１３は、上部材２の上部材支柱部３０を下部材１の下部材支柱部１０の最も奥に差し込むことで、一部の突起３４をスリット１３の奥に差し込み、一部の突起３５を開口部１６に差し込み、さらに上部材２を下部材１に対して上から下へと押し込んだ状態である。この状態では、上部材２の上部材支柱部３０の側壁３１側の突起３４が下部材１の下部材支柱部１０の側壁１１側のスリット１３の凹部１５に嵌合する。この状態でストッパ機能が働き、上部材２の上部材支柱部２が下部材１の下部材支柱部１０から抜け出ない。上部材２の部材支柱部３０の前壁３２に設けた突起３５と下部材１の下部材支柱部１０の前壁１２の開口部１６との嵌合は、前記の第四の実施例と同じである。
【図面の簡単な説明】
【００４８】
【図１】本発明の第一の実施例による瓦梁支持金具を示す下部材と上部材とを分離した状態の斜視図である。
【図２】同実施例による瓦梁支持金具を示す下部材と上部材とを連結する途中の状態の斜視図である。
【図３】同実施例による瓦梁支持金具を示す下部材と上部材とを連結した状態の斜視図である。
【図４】同実施例による瓦梁支持金具を示す突起とスリットの嵌合部分を示す要部拡大側面とＡ−Ａ線断面図である。
【図５】同実施例による瓦梁支持金具を使用して吹いた屋根の棟瓦の部分を示す要部正面図である。
【図６】本発明の第二の実施例による瓦梁支持金具を示す下部材と上部材とを分離した状態の斜視図である。
【図７】同実施例による瓦梁支持金具を示す下部材と上部材とを連結した状態の斜視図である。
【図８】本発明の第三の実施例による瓦梁支持金具を示す下部材と上部材とを分離した状態の斜視図である。
【図９】同実施例による瓦梁支持金具を示す下部材と上部材とを連結した状態の斜視図である。
【図１０】本発明の第四の実施例による瓦梁支持金具を示す下部材と上部材とを分離した状態の斜視図である。
【図１１】同実施例による瓦梁支持金具を示す下部材と上部材とを連結した状態の斜視図である。
【図１２】本発明の第五の実施例による瓦梁支持金具を示す下部材と上部材とを分離した状態の斜視図である。
【図１３】同実施例による瓦梁支持金具を示す下部材と上部材とを連結した状態の斜視図である。
【符号の説明】
【００４９】
１    下部材
２    上部材
１０  下部材支柱部
２０  下部材の脚部
１３  スリット
４０  上部材の梁支持部
３０  上部材支柱部
３４  突起
１５  スリットの凹部
１８  スリットの突起
３７  突起の孔
２３  スリットの突起
３９  突起の凹部
【図１】
2006219928.tif 000003
【図２】
2006219928.tif 000004
【図３】
2006219928.tif 000005
【図４】
2006219928.tif 000006
【図５】
2006219928.tif 000007
【図６】
2006219928.tif 000008
【図７】
2006219928.tif 000009
【図８】
2006219928.tif 000010
【図９】
2006219928.tif 000011
【図１０】
2006219928.tif 000012
【図１１】
2006219928.tif 000013
【図１２】
2006219928.tif 000014
【図１３】
2006219928.tif 000015